(57)【要約】【課題】再生されて表示されるＡ／Ｖデータの外に、デジタル放送信号に付加伝送されるサービス情報であるＰＬデータを構成して、Ａ／Ｖデータとナビゲーションデータとが区分されるように記録媒体に記録して、Ａ／Ｖデータ再生時に、ＰＬデータを単独で、またはＡ／Ｖデータと一緒に読み出してデジタルテレビに提供し、デジタルテレビとのＰＬデータ交換による解析して動作させるようにする。【解決手段】本発明は、デジタル放送信号に含まれて伝送される付加サービス情報であるプレゼンテーション言語データを光記録媒体に記録しておいて、オーディオ／ビデオデータの再生時、プレゼンテーション言語データを一緒に読み出して、これを区別させて連結された外部機器に伝送する。こうして、プレゼンテーション言語(ＰＬ)データを利用するデジタルテレビを通して、記録媒体で提供した多様な映像情報とその機能を利用する。【選択図】  図３
2010035206.tif 000002
【特許請求の範囲】
【請求項１】
再生装置によって実行され、コンテンツデータと前記コンテンツに関連付けられた言語フォーマットデータを処理する方法であって、その方法は、
トランスポートストリームを受信するステップと、
前記トランスポートストリームから、前記コンテンツデータと前記言語フォーマットデータを含むデータストリームと、管理情報と、連結情報を読み出すステップであって、前記コンテンツデータは少なくとも１つのコンテンツ分離部から成り、前記言語フォーマットデータは少なくとも１つの言語のフォーマット化された分離部から成り、前記コンテンツ分離部と、前記言語のフォーマット化された分離部を表す言語フォーマット分離部とは、それぞれ、識別子（ＩＤ）とプレゼンテーション時間情報を有し、前記言語フォーマットデータは前記コンテンツデータと共に再生されるように構成されるステップと、
前記管理情報を用いて、前記データストリームを前記コンテンツ分離部と前記言語フォーマット分離部とに分けるステップであって、前記管理情報はその分離部が前記コンテンツ分離部であるか、或いは前記言語フォーマット分離部であるかを前記分離部の識別子を用いて指示するステップと
前記言語フォーマットデータと前記コンテンツデータを関連付けるために前記コンテンツデータに参照情報を割り当てる前記連結情報を用いて、前記分けられたコンテンツ分離部と前記分けられた言語フォーマット分離部とを相互に関連付けるステップと、
前記関連付けられた分離部を、前記コンテンツ分離部に含まれる前記プレゼンテーション時間情報によって定められた特定の時間にデコード化するステップと、
前記言語フォーマット分離部に含まれる前記プレゼンテーション時間情報を用いて、前記コンテンツ分離部と同期的に前記関連付けられた言語フォーマット分離部をデコード化するステップと、
前記デコード化されたコンテンツ分離部と前記デコード化された言語フォーマット分離部を出力するステップと
を含むことを特徴とする方法。
【請求項２】
前記分離部はパケットであり、前記識別子はパケット識別子（ＰＩＤ）であることを特徴とする請求項１記載の方法。
【請求項３】
前記管理情報は前記分離部の前記識別子を前記分離部に割り当てられたデータタイプに合致させることを特徴とする請求項１記載の方法。
【請求項４】
前記再生装置は前記コンテンツデータをデコード化するのに使用する第１デコーダと、前記言語フォーマットデータをデコード化するのに使用する第２デコーダとを具備することを特徴とする請求項１記載の方法。
【請求項５】
前記管理情報は前記データストリームに含まれるように構成されることを特徴とする請求項１記載の方法。
【請求項６】
コンテンツデータと前記コンテンツデータに関連付けられた言語フォーマットデータを処理する装置であって、
トランスポートストリームを受信するように構成された受信部と、
前記コンテンツデータと前記言語フォーマットデータをデコード化するように構成されたデコーダ部と、
前記デコード化されたデータを出力するように構成された出力部と、
制御部と
を含み、前記制御部は、
前記トランスポートストリームから、前記コンテンツデータと前記言語フォーマットデータを含むデータストリームと、管理情報と、連結情報を読み出し、前記コンテンツデータは少なくとも１つのコンテンツ分離部から成り、前記言語フォーマットデータは少なくとも１つの言語のフォーマット化された分離部から成り、前記コンテンツ分離部と、前記言語のフォーマット化された分離部を表す言語フォーマット分離部とは、それぞれ、識別子（ＩＤ）とプレゼンテーション時間情報を有し、前記言語フォーマットデータは前記コンテンツデータと共に再生されるように構成され、
前記管理情報を用いて、前記データストリームを前記コンテンツ分離部と前記言語フォーマット分離部とに分け、前記管理情報はその分離部が前記コンテンツ分離部であるか、或いは前記言語フォーマット分離部であるかを前記分離部の識別子を用いて指示し、
前記言語フォーマットデータと前記コンテンツデータを関連付けるために前記コンテンツデータに参照情報を割り当てる前記連結情報を用いて、前記分けられたコンテンツ分離部と前記分けられた言語フォーマット分離部とを相互に関連付け、
前記デコーダを制御して、前記関連付けられた分離部を、前記コンテンツ分離部に含まれる前記プレゼンテーション時間情報によって定められた特定の時間にデコード化し、前記言語フォーマット分離部に含まれる前記プレゼンテーション時間情報を用いて、前記コンテンツ分離部と同期的に、前記関連付けられた言語フォーマット分離部をデコード化し、
前記出力部を制御して、前記デコード化されたコンテンツ分離部と前記デコード化された言語フォーマット分離部を出力する、
ように構成されることを特徴とする装置。  
【請求項７】
前記分離部はパケットであり、前記識別子はパケット識別子（ＰＩＤ）であることを特徴とする請求項６記載の装置。
【請求項８】
前記管理情報は前記分離部の前記識別子を前記分離部に割り当てられたデータタイプに合致させることを特徴とする請求項６記載の装置。
【請求項９】
前記デコーダは、前記コンテンツデータをデコード化するのに使用する第１デコーダと、前記言語フォーマットデータをデコード化するのに使用する第２デコーダとを具備することを特徴とする請求項６記載の装置。
【請求項１０】
前記管理情報は前記データストリームに含まれるように構成されることを特徴とする請求項６記載の装置。
【発明の詳細な説明】
【技術分野】
【０００１】
本発明は、ＡＴＶＥＦ(Advanced TV Enhancement Forum)規格またはＤＡＳＥ(Digital TV Application Software Environment)規格によって、デジタル放送信号に含まれて伝送される付加サービス情報であるプレゼンテーション言語(ＰＬ：Presentation Language)データを光記録媒体に記録しておいて、必要時これを読み出してその記録媒体に連結されている外部機器に伝送する装置及び方法に関するものである。
【背景技術】
【０００２】
最近には、Ａ／Ｖ信号でのみ構成されるデジタルテレビ放送信号にＨＴＭＬ、Ｊａｖａ（登録商標）  Ｓｃｒｉｐｔ、ＣＳＳ、ＤＯＭ等のようなインターネット用言語を結合して、多様なデジタル放送付加サービスを提供するためのＡＴＶＥＦ規格が、マイクロソフト社を中心にする関連業体間に具体的に議論され、かつ制定されている。またＡＴＶＥＦ規格と類似の付加サービスを提供するためのＤＡＳＥ規格がＡＴＳＣサブ委員会で議論され、かつ制定されている。ＡＴＶＥＦ規格またはＤＡＳＥ規格によってデジタル放送信号に付加伝送されるサービス情報であるプレゼンテーション言語データ(以下、‘ＰＬデータ’と称する)を利用して、多様なデジタル放送付加サービスを提供できるデジタルテレビの構成及び動作に対して説明すると次の通りである。
【０００３】
図１はＡＴＶＥＦ規格またはＤＡＳＥ規格によって付加伝送されるＰＬデータを使用するデジタルテレビの構成を図示したものである。本デジタルテレビ１００は、デジタル放送受信アンテナ(Ａｎｔ)を通して受信される残留側波帯(ＶＳＢ)変調方式のデジタル放送信号を同調すると同時に、同調されたデジタル放送信号の中でユーザーが選択した特定チャネルの放送信号に該当するＭＰＥＧトランスポートストリーム(ＴＳ)を選択出力するＶＳＢチューナ及びチャネル選択部１と、トランスポートストリームに含まれたＡ／Ｖデータストリームを元来のオーディオとビデオにデコーディングするＭＰＥＧデコーダ部２と、トランスポートストリームに含まれたＰＬデータを分離して出力するＰＬ分離部３と、分離出力されたＰＬデータを格納する、ハードディスクまたはメモリのような格納部４と、格納部４に一時的に格納されたＰＬデータ、またはＰＬ分離部３から分離出力されたＰＬデータを解析するＰＬ解釈部５と、解析されたＰＬデータに該当するグラフィック映像を生成するグラフィック生成部６と、グラフィック生成部により生成するグラフィック映像と、ＭＰＥＧデコーダ部２によりデコーディング出力されるビデオ映像を同期的にミキシングしてモニター画面に出力するミキシング部７を備えている。
【０００４】
前記のように構成されるデジタルテレビ１００は、デジタル放送受信アンテナを通して受信されて同調されたデジタル放送信号中のユーザーが選択した特定チャネルの放送信号に該当するトランスポートストリームに含まれたＡ／Ｖデータストリームをデコーディングして、サウンドを伴った映像として表現すると同時に、トランスポートストリームに含まれているＰＬデータを分離して解析し、それに該当するグラフィック映像を、図２に図示したように、モニターの画面上に重畳して表示することができる。
【０００５】
ＰＬデータは、前述したように、ＨＴＭＬ、Ｊａｖａ  Ｓｃｒｉｐｔ、ＣＳＳ、ＤＯＭ等のようなインターネット用言語を結合して、多様な付加サービスを提供するためにデジタル放送局から提供される。放送局から提供されるＰＬデータの表現形態は、hｔｔｐ：／／[ｓｉｔｅ  ｎａｍｅ][ａｔｔｒｉｂｕｔｅ](例えばhｔｔｐ：／／ｌｇｅ．ｃｏｍ／hｄｖｄｐ．hｔｍｌ)である。ＡＴＶＥＦ規格では、通常、単方向性のＨＴＴＰを適用している。しかし、Ａ／Ｖデータのコンテンツに関してＨＴＭＬの間で相互参照するために伝送された内容全部または一部を格納部４に一時的に格納することによって、その表現形態をｌｉｄ：／／［ｎａｍｅｓｐａｃｅ−ｉｄ］［ｒｅｓｏｕｒｃｅ−ｐａｔｈ］の形態、例えばｌｉｄ：／／ｌｇｅ．ｃｏｍ／ｈｄｖｄｐ．ｈｔｍｌまたはｌｉｄ：／／ａｂｃｄ／ｈｄｖｄｐ．ｈｔｍｌとする事も出来る。
【０００６】
前記のような表現形態で提供される付加ＰＬデータにより、ユーザーは自身が選択した特定チャネルの放送プログラムを画面を通して視聴できるだけでなく、デジタル放送局から提供される多様なプログラムに対する付加サービス情報をグラフィック映像を通して確認することができる。
【０００７】
ところで、ＤＶＤまたは高密度ＤＶＤのように高画質の映像データを収録できる高密度の光記録媒体が登場したこによって、前記のようにＰＬデータを含むテレビジョン放送信号を高密度の光記録媒体に記録して再生できる光ディスク装置が開発中である。しかし、このような高密度光ディスクが装置が、ＡＴＶＥＦ規格またはＤＡＳＥ規格によって付加伝送されるＰＬデータを記録媒体にどのように記録格納するか、さらには、これを再生してデジタルテレビのような表現装置にどのように提供するか、さらにはＰＬデータに対するデジタルテレビとの相互支援技法がまだ用意されていないので、その解決技術を提供することが急を要している。
【発明の概要】
【発明が解決しようとする課題】
【０００８】
したがって、本発明は前記のような実情を勘案して創作されたものであり、再生されて表現されるＡ／Ｖデータのほかに、ＡＴＶＥＦ規格またはＤＡＳＥ規格によってデジタル放送信号に付加して伝送されたサービス情報であるＰＬデータをＡ／Ｖデータやナビゲーションデータと区分できるように記録媒体に記録し、Ａ／Ｖデータ再生時には、ＰＬデータを単独で、またはＡ／Ｖデータと一緒に読み出して、連結されているデジタルテレビに提供して、デジタルテレビとの間でＰＬデータを交換してそれを解析し、それによる動作を実施できるようにした、Ａ／Ｖコンテンツへの付加サービス情報の記録／再生装置及び記録／再生方法を提供することが目的である。
【０００９】
本発明の他の目的は、記録されたＡ／Ｖデータを、ＡＴＶＥＦ規格またはＤＡＳＥ規格によってＡ／Ｖデータに付加伝送されるサービス情報であるプレゼンテーション言語データと一緒に提供できる記録媒体を提供することである。
【課題を解決するための手段】
【００１０】
前記のような目的を達成するための本発明による記録媒体は、ナビゲーションデータとオーディオ／ビデオデータのほかに、そのオーディオ／ビデオデータの付加サービス情報でありデジタルテレビで解析される言語フォーマットのデータが含まれて記録されていることを特徴とする。
【００１１】
また、本発明による記録媒体を通したＡ／Ｖコンテンツの付加サービス情報の提供方法は、光記録媒体から、オーディオ／ビデオデータと、デジタルテレビで解析可能な言語フォーマットのデータを再生する１段階と、再生されるオーディオ／ビデオデータと、デジタルテレビで解析可能な言語フォーマットのデータを、デジタルインタフェースを通して連結接続されたデジタルテレビに伝送する２段階を備えていることを特徴とする。
【００１２】
また、本発明によるＡ／Ｖコンテンツの付加サービス情報が記録された記録媒体の再生装置は、光記録媒体に記録されたデータを読み出す読出し手段と、読み出されるデータの伝送パケット識別子に基づいて、オーディオ／ビデオデータとデジタルテレビで解析可能な言語フォーマットのデータとに分離するデータ分離手段と、その分離された各々の伝送パケットデータを、デジタルインタフェースを通して連結接続されたデジタルテレビに伝送する伝送手段を備えていることを特徴とする。
【発明の効果】
【００１３】
本発明によるＡ／Ｖコンテンツの付加サービス情報の記録方法とこれを外部機器に提供する方法及び装置は、記録媒体に記録されたＡ／Ｖデータも、ＡＴＶＥＦ規格またはＤＡＳＥ規格によってデジタル放送信号に付加伝送されるサービス情報であるプレゼンテーション言語データと一緒にデジタルテレビに提供することができ、それによって、プレゼンテーション言語(ＰＬ)データを利用するデジタルテレビを通して、記録媒体から提供した多様な映像情報とその機能を利用することができるようになる。
【図面の簡単な説明】
【００１４】
【図１】ＡＴＶＥＦ規格またはＤＡＳＥ規格によって付加伝送されるプレゼンテーション言語データを利用するデジタルテレビに対する構成を示した図である。
【図２】ビデオ映像と、付加情報によるグラフィック映像が重畳表示されたデジタルテレビの画面の例を示した図である。
【図３】本発明の実施形態による光ディスク装置及びデジタルテレビが相互連結されている構成を示した図である。
【図４】本発明による高密度ＤＶＤ装置のまた他の構成を示した図である。
【図５】デジタルテレビが多数の光ディスク装置と連結されている例を示した図である。
【図６】本発明によって記録媒体を通してデジタル放送の付加サービス情報を提供するための記録媒体の多様なデータ記録構造を階層的に示した図である。
【図７】本発明によって記録媒体を通してデジタル放送の付加サービス情報を提供するための記録媒体の多様なデータ記録構造を階層的に示した図である。
【図８】本発明によって記録媒体を通してデジタル放送の付加サービス情報を提供するための記録媒体の多様なデータ記録構造を階層的に示した図である。
【図９】本発明によって記録媒体を通してデジタル放送の付加サービス情報を提供するための記録媒体の多様なデータ記録構造を階層的に示した図である。
【発明を実施するための形態】
【００１５】
以下、本発明によるデジタル放送付加サービス情報の記録／再生装置及び記録／再生方法に対する望ましい実施形態に対して、添付された図面を参照して詳細に説明する。
【００１６】
図３は、本発明の実施形態による光ディスク装置とデジタルテレビが相互連結されている構成を図示したものである。図３の光ディスク装置３００は高密度ＤＶＤ再生器である。図３の光ディスク装置３００は、高密度ＤＶＤ３１に記録された信号を読み出す光ピックアップ３２と、光ピックアップ３２により読み出されるＲＦ信号を信号処理して元来のデジタルデータに復元する信号処理部３３と、連結されたデジタルテレビから受信されるＰＬデータまたはコマンドによってＡ／ＶデータとＰＬデータの読出しを制御して、これを出力するＰＬ解釈部３４と、及び前記出力されるＡ／ＶデータとＰＬデータをＩＥＥＥ１３９４インタフェースを通して連結接続されたデジタルテレビ２００に伝送するインタフェース部３５を備えている。
【００１７】
一方、デジタルテレビ２００は、図１を参照しながら前述したように、デジタル放送受信アンテナ(Ａｎｔ)を通して受信されるデジタル放送信号を同調すると同時に、同調されたデジタル放送信号の中からユーザーが選択した特定チャネルの放送信号に該当するＭＰＥＧトランスポートストリームを選択出力するＶＳＢチューナ及びチャネル選択部２１と、トランスポートストリームに含まれたＡ／Ｖデータストリーム、または高密度ＤＶＤ再生器３００から伝送されるＡ／Ｖデータストリームを元来のオーディオデータとビデオデータにデコーディングするＭＰＥＧデコーダ部２２と、トランスポートストリームに含まれたＰＬデータ、また高密度ＤＶＤ再生器３００から伝送されるＰＬデータを分離出力するＰＬ分離部２３と、分離出力されるＰＬデータを一時的に格納する格納部２４と、格納部２４に一時的に格納されたＰＬデータ、またはＰＬ分離部２３から分離出力するＰＬデータを解析すると同時に、ユーザーから選択指定されたＰＬデータまたはこれに相応するコマンドを生成出力するＰＬ解釈部２５と、解析されたＰＬデータに該当するグラフィック映像を生成出力するグラフィック生成部２６と、グラフィック生成部２６により生成出力されるグラフィック映像とＭＰＥＧデコーダ部２２によりデコーディング出力されるビデオ映像とを同期的にミキシングしてモニター画面に出力するミキシング部２７と、及び高密度ＤＶＤ再生器３００とのデータ送受信を実施するインタフェース部２８を備えている。
【００１８】
高密度ＤＶＤ再生器３００は、高密度ＤＶＤ３１から再生されるＡ／ＶデータとＰＬデータをインタフェース部３５のアイソクロナス（isochronous)チャネルを通して伝送して、デジタルテレビ２００でＡ／ＶデータとＰＬデータに分離させるようにしている。再生されるＡ／Ｖデータをインタフェース部３５のアイソクロナスチャネルを通して伝送するとともに、ＰＬデータは非同期チャネルを通して伝送する事も出来る。図４は高密度ＤＶＤ再生器３００の他の構成例であり、ＰＬ分離部３６を内部に収容している。この場合には、ＰＬ解釈部３４がＰＬデータをインタフェース部３５の非同期チャネルを通して送受信する。その際、高密度ＤＶＤ３１から読み出されたＰＬデータを解析して、高密度ＤＶＤ３１に対する読出し動作を再生器で制御することができる。この時、ＰＬデータは再生制御のためのナビゲーションデータとして用いることができる。ＰＬ分離部３６は高密度ＤＶＤ３１から再生されたデータをＡ／ＶデータとＰＬデータに分離して各々インタフェース部３５のアイソクロナスチャネルと非同期チャネルに区分して送信する。
【００１９】
また、デジタルテレビ２００は、図５に図示したように、高密度ＤＶＤ再生器３００以外にも他の光ディスク装置、例えば高密度ＤＶＤ記録／再生器（ＨＤＶＤ−Ｒｅｃｏｒｄｅｒ）４００またはＤＶＤ再生器（ＤＶＤ−Ｐｌａｙｅｒ）５００等、多様な機器と連結接続できる。したがって、デジタルテレビ２００から、ＩＥＥＥ１３９４インタフェースを通して連結接続された高密度ＤＶＤ再生器３００、高密度ＤＶＤ記録／再生器４００、ＤＶＤ再生器５００をＰＬデータで区別できるようにするために、ＰＬデータに用いる識別子を定義して、その識別子を該当連結機器の種類とその内容を区分して表現するために用いる。例えば、高密度ＤＶＤ再生器に対しては、‘ｈｄｖｄｐ’を識別子として用いてＰＬデータがｈｄｖｄｐ：／／［ｓｐａｃｅ−ｉｄ］［ｒｅｓｏｕｒｃｅ−ｉｄ］のような形態になるようにし、高密度ＤＶＤ記録／再生器に対しては、‘ｈｄｖｄｒ’を識別子として用いて、ｈｄｖｄｒ：／／［ｓｐａｃｅ−ｉｄ］［ｒｅｓｏｕｒｃｅ−ｉｄ］の形態に、そしてＤＶＤ再生器の場合‘ｄｖｄｐ’の識別子を用いて、ｄｖｄｐ：／／［ｓｐａｃｅ−ｉｄ］［ｒｅｓｏｕｒｃｅ−ｉｄ］のＰＬデータ形態になるようにする。このようにして、ＰＬデータの対象機器と実施対象のコンテンツを各々区分できるようにする。
【００２０】
また、同じ種類の装置が多数連結接続された場合、例えば高密度ＤＶＤ再生器が２個以上連結接続されている場合には、これをそれぞれ区分できる別途の識別子を追加して用いることができる。
【００２１】
上記ＰＬデータ形態の‘［ｒｅｓｏｕｒｃｅ−ｉｄ］’は、高密度ＤＶＤまたはＤＶＤ内のディレクトリ、ファイル名、チャプター名、チャプター番号などその機器で固有に区分できるコンテンツを指定するために用いられる。そして、この追加的に導入された識別子を有するＰＬデータは両方向性のプロトコルに適用できる。すなわち、デジタルテレビ２００から連結された他の機器３００、４００、５００へのＰＬデータ（これは他の機器に要求するコマンドをＰＬデータ化したものでよい）伝送も可能であって、この時はＩＥＥＥ１３９４インタフェースの非同期チャネルを通して伝送できる。
【００２２】
デジタルテレビ２００は、デジタル放送受信アンテナを通して受信して信号処理することによって獲得したＰＬデータ（このデータのコンテンツはデジタルテレビのメニュー画面を通して表示され、ユーザーがそれらを選択することができる）を指定することによって、選択されたＰＬデータに表記された識別子を有する連結機器の記録媒体に記録されたデータに対するアクセス要求ができるようになる。また、各連結機器から入力されるＰＬデータを利用して、他の連結機器の記録媒体に記録されたデータまたはデジタルテレビの格納部２４に格納されたデータをアクセスできるようになる。このような方法を通して、通常のＤＶＤ装置とは別に、自身が別途のメニューデータを構成せずとも、外部から提供されたＰＬデータを利用して、デジタルテレビが自身または他の機器に対するメニュー画面を構成することができるようになる。
【００２３】
以下では、本発明によるＡ／Ｖコンテンツの付加サービス情報の再生方法を適用することができる光記録媒体のデータ記録構造に対して説明する。
【００２４】
図６は、本発明による高密度ＤＶＤのデータ記録構造を階層的に示したものである。図６の記録構造では、ディスク構造はファイルシステム領域とビデオゾーン領域に区分されている。ビデオゾーン領域には、一つ以上のタイトル(Ｔｉｔｌｅ＃(ｍ＋１)、＃(ｍ＋２)．．)が記録されている。各タイトルは、ナビゲーションデータとプレゼンテーションデータで構成される。
【００２５】
プレゼンテーションデータは、所定の記録大きさ、例えば２０４８バイトの記録大きさを有する多数のパック(ＨＤ＿Ｐａｃｋ＃ｎ、＃(ｎ＋１)．．)で構成されている。各々のパックは、パックヘッダと多数の伝送パケット(ＴＰ）が記録されたパックデータで構成されている。各パック(ＨＤ＿Ｐａｃｋ）のパックデータ領域には、図６に図示したように、Ａ／Ｖデータを有する伝送パケットと、ＡＴＶＥＦ規格によるＰＬデータ、すなわちＡＴＶＥＦデータを有する伝送パケットが多重化されており、それらの伝送パケットにはＡ／ＶデータかＡＴＶＥＦデータかを識別するための異なるパケット識別子(ＰＩＤ：Ｐａｃｋｅｔ  ＩＤ)が挿入されて記録される。
【００２６】
したがって、前記のように記録されている高密度ＤＶＤのデータ記録構造は、概念的に、ナビゲーションデータが記録された第１領域と、Ａ／Ｖデータ及びＡＴＶＥＦデータがパック内で多重化されて記録された第２領域に区分することもできる。
【００２７】
図３の高密度ＤＶＤ再生器３００が図６のように記録された高密度ＤＶＤを再生する場合には、ＰＬ解釈部３４が高密度ＤＶＤ３１から読み出されるＡ／Ｖデータの伝送パケットのパケット識別子と、ＡＴＶＥＦデータの伝送パケットのパケット識別子を確認するために、その値を定義している管理情報、例えば、ナビゲーションデータで記録されているプログラムサービス情報（ＰＳＩ）をまず確認する。確認された情報からＡ／ＶデータとＡＴＶＥＦデータを有する伝送パケットに対する識別子を把握して、高密度ＤＶＤ３１から再生されるプレゼンテーションデータの各伝送パケットをＡ／ＶデータとＡＴＶＥＦデータの伝送パケットに分離する。分離されたＡ／Ｖデータ伝送パケットはインタフェース部３５のアイソクロナスチャネルを通してデジタルテレビ２００に伝送されて、ＡＴＶＥＦデータ伝送パケットは非同期チャネルを通して伝送される。
【００２８】
一方、これを受信するデジタルテレビ２００のインタフェース部２８では、アイソクロナスチャネルを通して受信されたＡ／Ｖデータ伝送パケットはＭＰＥＧデコーダ部２２に印加されてデコーディングされることによって元来のオーディオとビデオ信号に変換される。一方、非同期チャネルを通して受信されたＡＴＶＥＦデータ伝送パケットはＰＬ分離部２３に出力される。
【００２９】
ＭＰＥＧデコーダ部２２によりデコーディングされたビデオ映像と、ＰＬ分離部２３、ＰＬ解釈部２５及びグラフィック生成部２６の信号処理動作により、受信されたＰＬデータに対応して生成したグラフィック画面が、ミキシング部２７によりミキシングされてデジタルテレビのモニター画面に出力される。この時、グラフィック画面がビデオ映像とミキシングされる時点はＡＴＶＥＦデータ伝送パケットとＡ／Ｖデータ伝送パケット間の表現時刻情報（ＰＴＳ：Presentation Time Stamp）に基づいて行われる。
【００３０】
前記のような過程を通して、デジタル放送プログラムのようなＡ／Ｖデータを、ＡＴＶＥＦ規格またはＤＡＳＥ規格を用いて記録媒体に記録された付加サービス情報のためのＰＬデータと一緒にデジタルテレビに提供できる。
【００３１】
高密度ＤＶＤ再生器３００のＰＬ解釈部３４は、再生されるプレゼンテーションデータの各伝送パケットに対して、パケット識別子を確認せずにすべてインタフェース部３５のアイソクロナスチャネルを通してデジタルテレビ２００に伝送する事も出来る。この場合、デジタルテレビ２００のインタフェース部２８は、アイソクロナスチャネルを通して受信される伝送パケットのパケット識別子に基づいて、Ａ／Ｖデータ及びＡＴＶＥＦデータの伝送パケットを分離する動作を追加的に実施する。さらに、インタフェース部２８を通して受信された伝送パケットをパケット識別子によって分離する別のデータ分離部（図示せず）を備えていても良い。
【００３２】
前記のように分離出力されたＡ／Ｖデータの伝送パケットは、ＭＰＥＧデコーダ部２２に出力されて、ＡＴＶＥＦデータ伝送パケットは、ＰＬ分離部２３に出力されて、結局、ＭＰＥＧデコーダ部２２によりデコーディングされたＡ／Ｖ伝送パケットのビデオ映像と、ＰＬ分離部２３、ＰＬ解釈部２５及びグラフィック生成部２６の信号処理動作によりＡＴＶＥＦデータ伝送パケットにより生成したグラフィック映像が、ミキシング部２７により同期的にミキシングされてデジタルテレビのモニター画面に出力される。
【００３３】
以下では、本発明によるＡ／Ｖコンテンツの付加サービス情報の再生方法を適用することができる光記録媒体のデータ記録構造に対する他の実施形態に対して、添付された図面を参照しながら説明する。
図７は、他の実施形態による高密度ＤＶＤのデータ記録構造を階層的に図示したものである。図７の記録構造では、図６と同様に、ファイルシステム領域とビデオゾーン領域に区分され、ビデオゾーン領域には、一つ以上のタイトル(Ｔｉｔｌｅ＃(ｍ＋１)、＃(ｍ＋２)．．)が記録され、各タイトルは、ナビゲーションデータとプレゼンテーションデータとで構成されている。しかし、図６とは、ＡＴＶＥＦデータ伝送パケットとＡ／Ｖデータ伝送パケットとが相互に区分されたパック(ＨＤ＿Ｐａｃｋ)に分けられて記録されている点が異なっている。
【００３４】
したがって、前記のように記録されている高密度ＤＶＤのデータ記録構造を、概念的に、ナビゲーションデータが記録された第１領域と、Ａ／Ｖデータ及びＡＴＶＥＦデータのパックが相互に区分されたまま記録された第２領域とに区分できる。
【００３５】
図８は、さらに他の実施形態による高密度ＤＶＤのデータ記録構造を階層的に図示したものであり、ＡＴＶＥＦデータがナビゲーションデータのようにＡ／Ｖデータとは完全に分離されて記録される。
【００３６】
この場合概念的に見れば、高密度ＤＶＤのデータ記録構造は、ナビゲーションデータとＡＴＶＥＦデータが相互に区分されて記録された第１領域と、Ａ／Ｖデータが記録された第２領域に区分できるようになる。
【００３７】
図９は、さらに他の実施形態による高密度ＤＶＤのデータ記録構造を階層的に図示したものであり、この場合は、ＡＴＶＥＦデータがナビゲーションデータ領域にも一部含まれて記録されて、Ａ／Ｖデータ領域にも一部ＡＴＶＥＦデータが図７の実施形態のように相互に区分されてパックに分けられて記録されている。
【００３８】
このときは、高密度ＤＶＤのデータ記録構造を、概念的にナビゲーションデータとＡＴＶＥＦデータが相互に区分されて記録された第１領域と、Ａ／ＶデータとＡＴＶＥＦデータのパックが相互に区分されて記録された第２領域に区分できる。
【００３９】
一方、図８及び図９に図示したように、ナビゲーションデータ記録領域に区分記録されたＡＴＶＥＦデータは、高密度ＤＶＤに記録されたＡ／Ｖデータの探索及び読出を制御するためのナビゲーションデータにも用いることができる。例えば、図４に図示したように、高密度ＤＶＤ再生器３００に、ＰＬ分離部３６とＰＬ解釈部３４がそれぞれ構成される場合、ＰＬ解釈部３４では高密度ＤＶＤのナビゲーションデータ記録領域から読み出されるＰＬデータを解析して、そのＰＬデータが示す探索情報または制御情報による動作を自体的に実施することができる。
【００４０】
そして、図８の記録構造は、ＡＴＶＥＦデータはＡ／Ｖデータをトラックに沿って再生中には再生されないので、記録媒体に格納されたコンテンツを選択して再生させる機器に対するコマンドで構成されるメニュー画面を構成するためのデータとして利用するのに適している。
【００４１】
以上、前述した本発明の望ましい実施形態は、例示の目的のために開示されたことで、当業者であれば添付された特許請求範囲に開示された本発明の技術的思想とその技術的範囲内で、多様な他の実施形態を改良、変更、代替または付加などが可能であることである。
【符号の説明】
【００４２】
１，２１…ＶＳＢチューナ及びチャネル選択部、２，２２…ＭＰＥＧデコーダ部、３，２３，３６…プレゼンテーション言語分離部、４，２４…格納部、５，２５，３４…プレゼンテーション言語解釈部、６，２６…グラフィック生成部、７，２７…ミキシング部、２８，３５…インタフェース部、３１…記録媒体、３２…光ピックアップ、３３…デジタル信号処理部。
【図１】
2010035206.tif 000003
【図２】
2010035206.tif 000004
【図３】
2010035206.tif 000005
【図４】
2010035206.tif 000006
【図５】
2010035206.tif 000007
【図６】
2010035206.tif 000008
【図７】
2010035206.tif 000009
【図８】
2010035206.tif 000010
【図９】
2010035206.tif 000011